(57)【要約】【課題】容易に収納箱の配置変更が可能な収納装置を提供する。【解決手段】直方体形状からなり前面が開口した開口部２ａを有した収納箱２を複数備えた収納装置１であって、前記収納箱の側面（３，４，５，６）のうち、少なくとも隣合う２面に連なって形成されたレール溝１０と、隣接して配置する前記収納箱同士を連結するとともに前記レール溝に沿って移動自在に構成されたガイド部材９とを備えたことを特徴とする。【選択図】図１
2013066527.tif 000002
【特許請求の範囲】
【請求項１】
直方体形状からなり前面が開口した開口部を有した収納箱を複数備えた収納装置であって、
前記収納箱の側面のうち、少なくとも隣合う２面に連なって形成されたレール溝と、隣接して配置する前記収納箱同士を連結するとともに前記レール溝に沿って移動自在に構成されたガイド部材とを備えたことを特徴とする収納装置。
【請求項２】
請求項１において、
前記レール溝が、前記収納箱の４つの側面に形成されることを特徴とする収納装置。
【請求項３】
請求項１又は請求項２において、
前記レール溝は、外側が小幅溝で内側が大幅溝となる段差形状に形成され、
前記ガイド部材は、前記小幅溝に挿通される軸部と、この軸部の両端に設けられ、前記小幅溝の幅よりも大きく前記大幅溝内に沿って移動するローラ部とを備え、前記収納箱の側面には、前記レール溝の延出方向とは直交する方向に前記レール溝に連設されて前記ローラ部の外径より大きく凹設されたガイド部材着脱部が設けられていることを特徴とする収納装置。
【発明の詳細な説明】
【技術分野】
【０００１】
本発明は、直方体形状からなり前面が開口した開口部を有した収納箱を複数備えた収納装置に関する。
【背景技術】
【０００２】
従来より、下記特許文献１及び下記特許文献２に開示されているような複数の収納箱を上下に積み重ねて使用する収納装置が知られている。
例えば特許文献１には、長方体形状からなる収納箱の上面に複数個の嵌入凸部が形成されるとともに、収納箱の下面に複数個の嵌入凹部が形成された収納装置が記載されている。これによれば、嵌入凸部と嵌入凹部との嵌合により上下複数段状に積み重ね連結して使用することができる。
また特許文献２には、長方体形状からなる複数の収納箱の所定の面に凹部を形成し、隣接する収納箱の凹部同士を合致させることにより形成される空所に球状部材を配設し、収納箱同士を連結して使用する収納装置が記載されている。
【先行技術文献】
【特許文献】
【０００３】
【特許文献１】実用新案登録第３１１０２９７号公報
【特許文献２】特開２００４−１２３１２２号公報
【発明の概要】
【発明が解決しようとする課題】
【０００４】
しかしながら、このような収納装置の収納箱の配置を変える際には、収納箱を持ち上げて移動させる必要があり、容易に配置変更ができないという問題があった。またこのとき、収納箱内に収納物が沢山収納され重量が大きい場合は、そのまま動かすことが困難なため、収納物を収納箱外に出す必要もある。
さらに上記特許文献１及び２に記載の収納装置は、収納箱同士が上下に連結されるので、上下方向に積み重ねていく場合は、整然と配列させることができる。しかしながら、左右方向に並べて配置する際には、収納箱同士が連結されていないため、収納箱の前面を面一に並べても、物などが当たるとひとつだけ移動してしまうという場合がある。
【０００５】
本発明は、上記課題に鑑みなされたものであり、容易に収納箱の配置変更が可能な収納装置を提供することを目的としている。
【課題を解決するための手段】
【０００６】
前記目的を達成するために、本発明に係る収納装置は、直方体形状からなり前面が開口した開口部を有した収納箱を複数備えた収納装置であって、前記収納箱の側面のうち、少なくとも隣合う２面に連なって形成されたレール溝と、隣接して配置する前記収納箱同士を連結するとともに前記レール溝に沿って移動自在に構成されたガイド部材とを備えたことを特徴とする。
【０００７】
本発明において、前記レール溝が、前記収納箱の４つの側面に形成されるようにしてもよい。また本発明において、前記レール溝は、外側が小幅溝で内側が大幅溝となる段差形状に形成され、前記ガイド部材は、前記小幅溝に挿通される軸部と、この軸部の両端に設けられ、前記小幅溝の幅よりも大きく前記大幅溝内に沿って移動するローラ部とを備え、前記収納箱の側面には、前記レール溝の延出方向とは直交する方向に前記レール溝に連設されて前記ローラ部の外径より大きく凹設されたガイド部材着脱部が設けられているようにしてもよい。
【発明の効果】
【０００８】
本発明に係る収納装置は、上述のような構成としたことで、容易に収納箱の配置変更をすることができる。
【図面の簡単な説明】
【０００９】
【図１】（ａ）、（ｂ）本発明の一実施形態に係る収納装置の一例を模式的に示す概略斜視図であり、収納箱の移動過程を示す図である。
【図２】同収納装置の一例を模式的に示す概略斜視図であり、収納箱の移動過程を示す図である。
【図３】同収納装置に設けられたガイド部材を説明するための模式的断面図である。
【図４】（ａ）、（ｂ）は同収納装置に設けられたレール溝を説明するための模式的平面図である。
【図５】同収納装置が設置された室内の一例を示す概略斜視図である。
【発明を実施するための形態】
【００１０】
以下に本発明の実施の形態について、図面に基づいて説明する。
なお、以下の実施形態において指す前後方向は、収納装置１の正面（扉８の開け閉め操作の可能な側）に、対面した使用者を基準に手前側を前、奥側を後とし、その前後方向に直交する方向を左右方向として説明する。また図５は説明のため、収納箱２に形成されるレール溝１０や扉８の図示を省略する。
【００１１】
本実施形態に係る収納装置１は、図１等に示すように直方体形状からなり前面が開口した開口部２ａを有した収納箱２を複数備えて構成される。
収納箱２の側面（右側面３、上面４、左側面５、底面６）のうち、少なくとも隣合う２面（例えば、右側面３と上面４）には、レール溝１０が連なって形成されている。そして、隣接して配置する収納箱２同士を連結するとともにレール溝１０に沿って移動自在に構成されたガイド部材９（図３参照）を備えている。
以下、詳しく説明する。
【００１２】
収納箱２は、直方体形状からなればよく、例えば図例のように略立方体形状からなるものとしてもよい。収納箱２の前面は開口部２ａとされ、この開口部２ａは開閉自在に構成された扉８で塞がれている。収納箱２の後面は背面７とされ、背板でふさがれている。収納箱２の４つの側面には側板が配され、図中、３は右側面、４は上面、５は左側面、６は底面を示している。また図中、８ａは扉８を開閉する際の取手であり、図例のものは、略円形に扉８を刳り貫いて形成されたものを示している。取手８ａの構成は図例に限定されず、突出して設けられたドアノブとしてもよいし、扉８の端部を手が掛けられるように切り欠いて形成してもよい。収納箱２の側面の角部、例えば右側面３と上面４との角部、上面４と左側面５との角部はいずれも丸みを帯びた面取り形状とされることが望ましい。収納箱２を上下左右に移動させる際にスムーズに移動させることができるからである。
【００１３】
レール溝１０は、上述のように隣合う２面に連なって形成されていればよいが、図例のものは、収納箱２の４つの側面となる右側面３、上面４、左側面５、底面６のそれぞれに、２本のレール溝１０が平行に凹状に形成されている。レール溝１０は、外側が小幅溝１１で内側が大幅溝１２となる段差形状に形成されており、図３において、１０ａはレール溝１０のレール開口部、１０ｂはローラ部９ｂを係止する係止部、１０ｃはレール溝１０の側壁、１１は小幅溝、１２は大幅溝を示している。。
【００１４】
図３に示すように収納箱２同士は、ガイド部材９によって連結されている。ガイド部材９の構成は特に限定されないが、図例のように軸部９ａと、その軸部９ａの両端に設けられたローラ部９ｂ，９ｂとを備えたものとしてもよい。
ガイド部材９の軸部９ａは円筒体形状からなり、ローラ９ｂ，９ｂは軸部９ａの外径寸法よりも大きい径を有する円板体で構成される。具体的には、図例のガイド部材９は、小幅溝１１（レール開口部１０ａ）に挿通される軸部９ａと、この軸部９ａの両端に設けられ、小幅溝１１の幅（Ａ）よりも大きく大幅溝１２内に沿って移動するローラ部９ｂとを備えている。ガイド部材９は、収納箱２，２の間に跨るように片側のレール溝１０にガイド部材９の一方のローラ部９ｂが嵌め入れられ、他方側のレール溝１０にガイド部材９の他方のローラ部９ｂが嵌め入れられる。
図例のものは、２本のレール溝１０にひとつずつ、計２つのガイド部材９が設けられた例を示している。
【００１５】
レール溝１０のレール開口部１０ａは、図４（ａ）及び（ｂ）の図からもわかるようにローラ部９ｂの外径より小さい小幅溝１１とされ、一旦レール溝１０にローラ部９ｂを挿入して嵌め入れると係止部１０ｂによって抜け出ないように構成されている。例えば図３に示すように上下に収納箱２，２が積み重ねられている状態では、上側に配置された収納箱２の底面６側のレール溝１０にガイド部材９の一方のローラ部９ｂが嵌め入れられる。そして、下側に配置された収納箱２の上面４側のレール溝１０にガイド部材９の他方のローラ部９ｂが嵌め入れられる。
ローラ部９ｂは、レール溝９ｂ内の側壁１０ｃのいずれかに当たった状態で回転しながら走行自在とされる。また、レール開口部１０ａと軸部９ａとの間、ローラ部９ｂと係止部１０ｂ及び側壁１０ｃとの間には空隙、すなわち遊びの空間を備えるように構成されており、これにより例えば収納箱２を左右方向から上下方向へと略直角に移動させることができる。
【００１６】
収納箱２の側面（３，４，５，６）には、レール溝１０の延出方向とは直交する方向にレール溝１０に連設されてローラ部９ｂの外径より大きく凹設されたガイド部材着脱部２０が設けられている。図４（ａ）及び（ｂ）では、一側面に２本形成されるレール溝１０のうち、１本のみを示し、レール溝１０の幅寸法、すなわち小幅溝１１の幅寸法を「Ａ」、ガイド部材着脱部２０の幅寸法を「Ｂ」、ローラ部９ｂの外径寸法を「Ｃ」、軸部９ａの外径寸法を「Ｄ」で示している。また図３では、レール溝１０の大幅溝１２の幅寸法を「Ｅ」で示している。これらに基づけば、それぞれの寸法は、Ｄ＜Ａ＜Ｃ＜Ｅ＜Ｂという関係になる。
ガイド部材着脱部２０の形成位置は特に限定されないが、ガイド部材９の着脱のし易さや収納箱２，２同士の連結及び連結解除のし易さを考慮すると、図１等に示すように収納箱２の上面４及び底面６の略中央位置に形成されていることが望ましい。またガイド部材着脱部２０は、レール溝１０の延出方向とは直交する方向に突出して形成されるが、この突出方向は、前後方向いずれでもよく特に限定されない。しかしながら、図１等に示すように、扉８側（前方向）に突出して形成されたものの方が、収納箱２，２同士の連結及び連結解除のし易さを考慮すると、望ましい。収納装置１の場合、後方に壁面がある場合が多く、後方へ収納箱２を移動できない場合があるからである。
【００１７】
ガイド部材９をレール溝１０に嵌め入れる際は、ガイド部材着脱部２０にガイド部材９の一方のローラ部９ｂを配置し、その後レール溝１０側にスライド移動させれば、係止部１０ｂにローラ部９ｂが係止され、容易に嵌め入れることができる。
一方、このガイド部材９をレール溝１０から取り外す際は、ガイド部材９をレール溝１０に沿ってガイド部材着脱部２０の位置まで移動させる（例えば図４（ａ）のｄ１方向）。その後、レール溝１０から突出して形成されたガイド部材着脱部２０の出っ張り部分方向、すなわちレール溝１０の延出方向（ガイド部材９の移動方向ｄ１参照）とは直交する方向にガイド部材９を移動させる（図４（ｂ）のｄ２矢印方向）。このようにガイド部材９を移動させれば、係止部１０ｂにより係止状態が解除され、ガイド部材９を容易にレール溝１０から外すことができる。
【００１８】
次にこのようにガイド部材９によって連結された収納箱２，２の上下左右方向への移動、収納箱２の配置変更について、説明する。
図１、図２には、２個の収納箱２，２で構成された収納装置１を示している。
図１（ａ）には、２個の収納箱２，２が上下に積み上げられた例を示している。
この状態で固定して使用する場合は、右側面３側や左側面５側にカバー板１３を取り付けてもよい。これによれば、レール溝１０に埃などが貯まったり、指などを挟んでしまうことを防ぐことができる。図中、１３ａはカバー板１３の背面側に形成されレール溝１０に嵌め入れられる溝固定部材である。図例の溝固定部材１３ａは、レール溝１０の溝幅、形成間隔に合わせて２本形成されており、レール溝１０に嵌まり込むことで、カバー板１３を右側面３などに取り付けることができるよう構成されている。
図１（ａ）に示すように収納箱２，２を上下に積み上げた状態から、左右に並べた状態に配置変更する場合は、カバー板１３を外し、図１（ｂ）に示すように上側の収納箱２を横方向に移動させる。このとき、ガイド部材９のローラ部９ｂは下方側の側壁１０ｃに当たり、その状態で回転しながら走行する。そして収納箱２，２を図２（ａ）に示す位置、すなわち下側の収納箱２の上方角部まで上側の収納箱２を移動させたら、次は下方へ移動させる。このとき、図例のように収納箱２，２の角部を丸みを帯びた形状とすれば、このときの移動をスムーズに行うことができる。
【００１９】
そして上側に積み上げられていた収納箱２を床に設置する位置まで移動すれば、図２（ｂ）に示すように左右に並べて収納箱２，２を配置できる。
このときもガイド部材９によって収納箱２，２同士は連結されており、離れてしまうことがないので、収納箱２，２の前面を面一に整然と配列させることができる。また収納箱２内に収納物を収納したままで、容易に収納箱２を移動させることができる。
図２（ｂ）において、１４は図１（ａ）と同様の構成としたカバー板であり、１４ａは溝固定部材１４ａである。ここでは上面取り付け用のカバー板を１４として示しているが、図例のように収納箱２，２が略立方体からなる場合は、側面取り付け用のカバー板１３と、上面取り付け用のカバー板１４とを兼用させることができる。
【００２０】
図５には、収納装置１が複数設置された室内の一例を示している。
ここに示すように収納装置１は、複数の収納箱２，２・・・を組み合わせ自在に構成することができ、設置されている隣合う収納箱２，２同士はガイド部材９で連結されている。
このように収納箱２，２・・・を縦方向横方向に一列に並べる際に収納箱２，２・・・がバラバラになることがなく、整然と配列させることができる。また室内の使用目的などに応じて収納箱２，２・・・の配置変更も容易に行うことができるので、室内空間もフレキシブルに使用することができる。
【００２１】
なお、収納装置１、収納箱２、レール溝１０、ガイド部材９、ガイド部材着脱部２０などの形状、構成は図例に限定されない。例えば収納箱２の形状は、略立方体形状に限定されず、略長方体形状としてもよいし、略立方体形状の収納箱２と略長方体形状の収納箱２とを組み合わせたものとしてもよい。
【符号の説明】
【００２２】
１      収納装置
２      収納箱
２ａ      開口部
３      右側面（側面）
４      上面（側面）
５      左側面（側面）
６      底面（側面）
９      ガイド部材
９ａ      軸部
９ｂ，９ｂ      ローラ部
１０      レール溝
２０      ガイド部材着脱部
【図１】
2013066527.tif 000003
【図２】
2013066527.tif 000004
【図３】
2013066527.tif 000005
【図４】
2013066527.tif 000006
【図５】
2013066527.tif 000007